(57)【特許請求の範囲】
【請求項１】
通信相手装置宛ての送信信号を、前記送信信号から中継信号を生成して前記通信相手装置に中継送信する処理をそれぞれ行う複数の中継局装置を介して送信する無線送信装置であって、
前記中継信号の中継送信についての指示内容をそれぞれ有する第一の指示および第二の指示であって、互いに異なる第一の指示および第二の指示を決定する決定手段と、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知手段と、
を有し、
前記決定手段は、
第一のパリティビットを前記送信信号に付加して第一の中継信号を生成させて前記通信相手装置へ中継送信させる指示を前記第一の指示として決定するとともに、前記第一のパリティビットと異なる第二のパリティビットを前記送信信号に付加して第二の中継信号を生成させて前記通信相手装置へ中継送信させる指示を前記第二の指示として決定する、
無線送信装置。
【請求項２】
前記決定手段は、
前記第一のパリティビットと異なる長さを有する第二のパリティビットを前記送信信号に付加して前記第二の中継信号を生成させて前記通信相手装置へ中継送信させる指示を前記第二の指示として決定する、
請求項１記載の無線送信装置。
【請求項３】
前記通信相手装置が前記第一の中継局装置から受信した信号の受信品質および前記第二の中継局装置から受信した信号の受信品質をそれぞれ取得する取得手段をさらに有し、
前記決定手段は、
前記第一の中継局装置からの受信品質が前記第二の中継局装置からの受信品質よりも良好な場合、前記第一のパリティビットの長さを前記第二のパリティビットの長さよりも短く設定する、
請求項２記載の無線送信装置。
【請求項４】
通信相手装置宛ての送信信号を、前記送信信号から中継信号を生成して前記通信相手装置に中継送信する処理をそれぞれ行う複数の中継局装置を介して送信する無線送信装置であって、
前記中継信号の中継送信についての指示内容をそれぞれ有する第一の指示および第二の指示であって、互いに異なる第一の指示および第二の指示を決定する決定手段と、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知手段と、
を有し、
前記決定手段は、
情報ビットおよびパリティビットから成る第一の中継信号を前記送信信号から生成させて前記通信相手装置へ中継送信させる指示を前記第一の指示として決定するとともに、情報ビットおよびパリティビットから成り前記第一の中継信号と異なる情報ビットの割合を有する第二の中継信号を前記送信信号から生成させて前記通信相手装置へ中継送信させる指示を前記第二の指示として決定する、
無線送信装置。
【請求項５】
前記通信相手装置が前記第一の中継局装置から受信した信号の受信品質および前記第二の中継局装置から受信した信号の受信品質をそれぞれ取得する取得手段をさらに有し、
前記決定手段は、
前記第一の中継局装置からの受信品質が前記第二の中継局装置からの受信品質よりも良好な場合、前記第一の中継信号における情報ビットの割合を前記第二の中継信号における情報ビットの割合よりも高く設定する、
請求項４記載の無線送信装置。
【請求項６】
通信相手装置宛ての送信信号を、前記送信信号から中継信号を生成して前記通信相手装置に中継送信する処理をそれぞれ行う複数の中継局装置を介して送信する無線送信装置であって、
前記中継信号の中継送信についての指示内容をそれぞれ有する第一の指示および第二の指示であって、互いに異なる第一の指示および第二の指示を決定する決定手段と、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知手段と、
を有し、
前記決定手段は、
情報ビットおよびパリティビットのうちの一方から成る第一の中継信号を前記送信信号から生成させて前記通信相手装置へ送信させる指示を前記第一の指示として決定するとともに、情報ビットおよびパリティビットのうちの他方から成る第二の中継信号を前記送信信号から生成させて前記通信相手装置へ送信させる指示を前記第二の指示として決定する、
無線送信装置。
【請求項７】
前記通信相手装置が前記第一の中継局装置から受信した信号の受信品質および前記第二の中継局装置から受信した信号の受信品質をそれぞれ取得する取得手段をさらに有し、
前記決定手段は、
前記第一の中継局装置からの受信品質が前記第二の中継局装置からの受信品質よりも良好な場合、情報ビットから成る前記第一の中継信号を前記送信信号から生成させて前記通信相手装置へ送信させる指示を前記第一の指示として決定するとともに、パリティビットから成る前記第二の中継信号を前記送信信号から生成させて前記通信相手装置へ送信させる指示を前記第二の指示として決定する、
請求項６記載の無線送信装置。
【請求項８】
前記送信信号に第三のパリティビットを付加する付加手段をさらに有し、
前記決定手段は、
前記第三のパリティビットと異なる第一のパリティビットを前記第三のパリティビットが付加された送信信号に付加して前記第一の中継信号を生成させて前記通信相手装置へ送信させる指示を前記第一の指示として決定するとともに、前記第三のパリティビットおよび前記第一のパリティビットのいずれとも異なる第二のパリティビットを前記第三のパリティビットが付加された送信信号に付加して前記第二の中継信号を生成させて前記通信相手装置へ送信させる指示を前記第二の指示として決定する、
請求項１記載の無線送信装置。
【請求項９】
請求項１記載の無線送信装置を有する移動局装置。
【請求項１０】
請求項１記載の無線送信装置を有する基地局装置。
【請求項１１】
請求項１記載の無線送信装置を有する中継局装置。
【請求項１２】
通信相手装置宛ての送信信号を、前記送信信号から中継信号を生成して前記通信相手装置に中継送信する処理をそれぞれ行う複数の中継局装置を介して送信する無線送信装置における無線送信方法であって、
前記中継信号の中継送信についての指示内容をそれぞれ有する第一の指示および第二の指示であって、互いに異なる第一の指示および第二の指示を決定する決定ステップと、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知ステップと、
を有し、
前記決定ステップは、
第一のパリティビットを前記送信信号に付加して第一の中継信号を生成させて前記通信相手装置へ中継送信させる指示を前記第一の指示として決定するとともに、前記第一のパリティビットと異なる第二のパリティビットを前記送信信号に付加して第二の中継信号を生成させて前記通信相手装置へ中継送信させる指示を前記第二の指示として決定する、
無線送信方法。
【請求項１３】
通信相手装置宛ての送信信号を、前記送信信号から中継信号を生成して前記通信相手装置に中継送信する処理をそれぞれ行う複数の中継局装置を介して送信する無線送信装置における無線送信方法であって、
前記中継信号の中継送信についての指示内容をそれぞれ有する第一の指示および第二の指示であって、互いに異なる第一の指示および第二の指示を決定する決定ステップと、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知ステップと、
を有し、
前記決定ステップは、
情報ビットおよびパリティビットから成る第一の中継信号を前記送信信号から生成させて前記通信相手装置へ中継送信させる指示を前記第一の指示として決定するとともに、情報ビットおよびパリティビットから成り前記第一の中継信号と異なる情報ビットの割合を有する第二の中継信号を前記送信信号から生成させて前記通信相手装置へ中継送信させる指示を前記第二の指示として決定する、
無線送信方法。
【請求項１４】
通信相手装置宛ての送信信号を、前記送信信号から中継信号を生成して前記通信相手装置に中継送信する処理をそれぞれ行う複数の中継局装置を介して送信する無線送信装置における無線送信方法であって、
前記中継信号の中継送信についての指示内容をそれぞれ有する第一の指示および第二の指示であって、互いに異なる第一の指示および第二の指示を決定する決定ステップと、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知ステップと、
を有し、
前記決定ステップは、
情報ビットおよびパリティビットのうちの一方から成る第一の中継信号を前記送信信号から生成させて前記通信相手装置へ送信させる指示を前記第一の指示として決定するとともに、情報ビットおよびパリティビットのうちの他方から成る第二の中継信号を前記送信信号から生成させて前記通信相手装置へ送信させる指示を前記第二の指示として決定する、
無線送信方法。
【請求項１５】
無線受信装置、複数の中継局装置及び無線送信装置を具備し、前記無線送信装置が送信信号を複数の中継局装置を介して前記無線受信装置に送信する移動体通信システムであって、
前記無線送信装置は、
第一のパリティビットを前記送信信号に付加して第一の中継信号を生成させて前記無線受信装置へ中継送信させる指示を前記第一の指示として決定し、前記第一のパリティビットと異なる第二のパリティビットを前記送信信号に付加して第二の中継信号を生成させて前記無線受信装置へ中継送信させる指示を前記第二の指示として決定する決定手段と、
前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知手段と、
を有し、
前記第一の中継局装置は、
前記第一の指示に従って、前記無線送信装置から送信された送信信号に前記第一のパリティビットを付加して前記第一の中継信号を生成する符号化手段と、
前記第一の中継信号を前記無線受信装置に送信する送信手段と、
を有し、
前記第二の中継局装置は、
前記第二の指示に従って、前記無線送信装置から送信された送信信号に前記第二のパリティビットを付加して前記第二の中継信号を生成する符号化手段と、
前記第二の中継信号を前記無線受信装置に送信する送信手段と、
を有する、
移動体通信システム。
【発明の詳細な説明】
【技術分野】
【０００１】
本発明は、無線送信装置および無線送信方法に関し、特に、通信相手装置に対して信号を送信するときに中継局装置を介して送信する無線送信装置および無線送信方法に関する。
【背景技術】
【０００２】
近年、携帯電話機などに代表されるセルラ移動体通信システムにおいて高周波の無線帯域を利用し、高伝送レートを実現するための技術的なアプローチが盛んに検討されている。高周波の無線帯域を利用した場合は、低周波の無線帯域を利用する場合に比べて伝送距離による減衰が大きくなるため、高伝送レートの実現が期待できる領域が比較的近距離の領域に限定される。よって、システム内により多くの基地局装置を設置する必要が生じる。基地局装置の設置には相応の費用がかかるため、基地局設置台数の増加を抑制しつつ高伝送レートを実現できる技術が強く求められている。
【０００３】
従来の移動体通信システムの一例では、無線送信装置（例えば基地局装置）から無線受信装置（例えば移動局装置）宛てに送信した送信信号と、複数の中継局装置がその送信信号を中継することによって無線受信装置宛てに送信された中継信号と、を無線受信装置で合成する（例えば、特許文献１参照）。これによりダイバーシチ効果を実現している。
【特許文献１】特開２００１−１８９９７１号公報
【発明の開示】
【発明が解決しようとする課題】
【０００４】
しかしながら、上記従来の移動体通信システムにおいては、複数のルートを経由して送信され、受信装置側で合成される複数の信号が互いに同一であるため、合成処理によってもたらされる利点は電力増幅効果のみとなる。したがって、受信装置側の誤り訂正能力の向上には一定の限界がある。
【０００５】
本発明の目的は、受信信号合成後の誤り率特性を向上することができる無線送信装置および無線送信方法を提供することである。
【課題を解決するための手段】
【０００６】
本発明の無線送信装置は、通信相手装置宛ての送信信号を、前記送信信号から中継信号を生成して前記通信相手装置に中継送信する処理をそれぞれ行う複数の中継局装置を介して送信する無線送信装置であって、前記中継信号の中継送信についての指示内容をそれぞれ有する第一の指示および第二の指示であって、互いに異なる第一の指示および第二の指示を決定する決定手段と、前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知手段と、を有し、前記決定手段は、第一のパリティビットを前記送信信号に付加して第一の中継信号を生成させて前記通信相手装置へ中継送信させる指示を前記第一の指示として決定するとともに、前記第一のパリティビットと異なる第二のパリティビットを前記送信信号に付加して第二の中継信号を生成させて前記通信相手装置へ中継送信させる指示を前記第二の指示として決定する構成を採る。
【０００７】
本発明の無線送信方法は、通信相手装置宛ての送信信号を、前記送信信号から中継信号を生成して前記通信相手装置に中継送信する処理をそれぞれ行う複数の中継局装置を介して送信する無線送信装置における無線送信方法であって、前記中継信号の中継送信についての指示内容をそれぞれ有する第一の指示および第二の指示であって、互いに異なる第一の指示および第二の指示を決定する決定ステップと、前記決定された第一の指示を前記複数の中継局装置のうち第一の中継局装置に通知するとともに、前記決定された第二の指示を前記複数の中継局装置のうち前記第一の中継局装置と異なる第二の中継局装置に通知する通知ステップと、を有し、前記決定ステップは、第一のパリティビットを前記送信信号に付加して第一の中継信号を生成させて前記通信相手装置へ中継送信させる指示を前記第一の指示として決定するとともに、前記第一のパリティビットと異なる第二のパリティビットを前記送信信号に付加して第二の中継信号を生成させて前記通信相手装置へ中継送信させる指示を前記第二の指示として決定するようにした。
【発明の効果】
【０００８】
本発明によれば、受信信号合成後の誤り率特性を向上することができる。
【発明を実施するための最良の形態】
【０００９】
以下、本発明の実施の形態について、図面を用いて詳細に説明する。
【００１０】
（実施の形態１）
図１は、本発明の実施の形態１に係る移動体通信システムの構成を示す図である。図１の移動体通信システム１は、移動局装置（以下「移動局」と言う）１０、２つの中継局装置（以下「中継局」と言う）２０−１、２０−２および基地局装置（以下「基地局」と言う）３０を有する。
【００１１】
なお、中継局２０−１、２０−２は互いに同一の内部構成を有するため、以下の説明において、中継局２０−１、２０−２のうち任意のものについて言及するときは、「中継局２０」と言う。また、本実施の形態では、便宜上、中継局数を「２」としているが、中継局数は１つでも３つ以上でもよい。通信状況によっては送信信号が経由する中継局の数が１つとなる場合もあり得るが、本発明を実施するためには、送信信号が経由する中継局の数は２以上であることが好ましい。
【００１２】
移動体通信システム１において、移動局１０は、基地局３０宛ての信号（送信信号）を各中継局２０−１、２０−２に送信する。各中継局２０−１、２０−２は、送信信号を受信する。各中継局２０−１、２０−２は、受信した送信信号（受信信号）から中継信号を生成して基地局３０に送信する中継処理を行う。基地局３０は、各中継局２０−１、２０−２から送信された中継信号を受信し、受信した中継信号を合成する。
【００１３】
以下、各装置の構成およびその動作について、移動局１０、中継局２０、基地局３０の順に説明する。
【００１４】
移動局１０は、図２に示すように、アンテナ１１１、無線受信部１１２、復調部１１３、誤り訂正復号部１１４、中継指示部１１５、符号化部１１６、変調部１１７および無線送信部１１８を有する。
【００１５】
無線受信部１１２は、アンテナ１１１を介して、基地局３０など他の装置から送信された下り回線信号を受信する。下り回線信号は、移動局１０宛てのユーザ信号のほかに、基地局３０が各中継局２０−１、２０−２から受信した信号の受信品質についての情報（受信品質情報）などのシグナリング情報を含む。そして、受信した下り回線信号に対して所定の受信無線処理（例えば、ダウンコンバート、Ａ／Ｄ変換など）を施す。受信無線処理後の下り回線信号は、復調部１１３および中継指示部１１５に出力される。
【００１６】
復調部１１３は、無線受信部１１２から入力された信号を復調して、復調された信号を誤り訂正復号部１１４に出力する。誤り訂正復号部１１４は、復調部１１３から入力された信号に対して誤り訂正復号処理を行い、その結果を受信信号として出力する。
【００１７】
中継指示部１１５は、どの中継局を経由して送信信号を基地局３０に届けるのかを把握する。本実施の形態では、送信信号は中継局２０−１、２０−２を並行に経由する、と把握される。これを把握するために、中継指示部１１５は、例えば、無線受信部１１２から入力された信号から受信品質情報を取得し、取得した受信品質情報に基づいて中継局の存在を把握する。つまり、中継指示部１１５は取得手段としての機能を有する。
【００１８】
また、中継指示部１１５は、決定手段としての機能も有し、中継信号の生成について中継局２０−１、２０−２に対して個別に指示するための指示内容を決定し、決定した指示内容を示す中継指示信号を生成して、生成した中継指示信号を無線送信部１１８に出力する。
【００１９】
付加手段としての符号化部１１６は、基地局３０宛ての送信信号に対して誤り訂正符号化処理を施す。この誤り訂正符号化処理によって送信信号にパリティビットが付加される。変調部１１７は、符号化部１１６によって符号化された送信信号を変調する。変調部１１７によって変調された送信信号は無線送信部１１８に出力される。
【００２０】
通知手段としての無線送信部１１８は、中継指示部１１５から入力された中継指示信号に対して所定の送信無線処理（例えば、Ｄ／Ａ変換、アップコンバートなど）を施す。そして、送信無線処理後の中継指示信号をアンテナ１１１から中継局２０−１、２０−２に送信する。また、無線送信部１１８は、変調部１１７から入力された送信信号に対して所定の送信無線処理を施す。そして、送信無線処理後の中継指示信号をアンテナ１１１から中継局２０−１、２０−２に送信する。
【００２１】
上記構成を有する移動局１０は、図３に一例として示されたフローに従って動作する。
【００２２】
まず、中継指示部１１５において、どの中継局で中継するのかが把握される（Ｓ１０１）。本実施の形態では、送信信号は中継局２０−１、２０−２で中継される。
【００２３】
続いて、中継指示部１１５において、中継指示信号の指示内容が決定される（Ｓ１０２）。
【００２４】
例えば、送信信号から中継信号を生成する際に行われる誤り訂正符号化処理において使用される誤り訂正符号が、中継局２０−１および中継局２０−２に対して個別に決定される。つまり、誤り訂正符号は、中継信号の生成について中継局２０−１および中継局２０
−２に対して通知される中継指示信号の指示内容として決定される。ここで、中継局２０−１に対する指示として決定される誤り訂正符号と中継局２０−２に対する指示として決定される誤り訂正符号とは互いに異なる。指示内容の具体的な例については後述する。
【００２５】
続いて、中継指示部１１５において、決定された指示内容を示す中継指示信号が生成される。生成された中継指示信号は中継指示部１１５から無線送信部１１８に出力される（Ｓ１０３）。無線送信部１１８においては、中継指示部１１５から入力された中継指示信号を各中継局２０−１、２０−２に送信する。これにより、中継指示信号に示された指示内容、つまり中継信号生成過程で使用される誤り訂正符号が、中継局２０−１および中継局２０−２の各々に通知される。
【００２６】
ステップＳ１０３の処理、すなわち中継指示信号の送信が行われた後、無線送信部１１８において、送信信号が、中継局２０−１および中継局２０−２の各々に通知される（Ｓ１０４）。
【００２７】
なお、移動局１０と中継局２０−１、２０−２との無線送信が継続している間は、ステップＳ１０２〜Ｓ１０４の処理が繰り返し行われる。しかしながら、指示する誤り訂正符号に変更が生じない場合は、中継指示信号の送信を省略し、ステップＳ１０４での処理すなわち送信信号の送信のみを連続的に行ってもよい。
【００２８】
また、前述のフローでは、中継指示信号と送信信号とが別々に送信されている。しかしながら、各信号の送信方法は前述の方法に限定されない。例えば、中継指示信号を送信信号のヘッダに付加するなどの処理を無線送信部１１８で行うことによって、中継指示信号と送信信号とを一緒に送信するようにしてもよい。
【００２９】
中継局２０は、図４に示すように、アンテナ１２１、無線受信部１２２、復調部１２３、誤り訂正復号部１２４、中継指示抽出部１２５、符号化部１２６、変調部１２７および無線送信部１２８を有する。
【００３０】
無線受信部１２２は、移動局１０から送信された送信信号または中継指示信号を、アンテナ１２１を介して受信する。そして、受信した送信信号（受信信号）または中継指示信号に対して所定の受信無線処理（例えば、ダウンコンバート、Ａ／Ｄ変換など）を施す。受信無線処理後の受信信号または中継指示信号は復調部１２３および中継指示抽出部１２５に出力される。
【００３１】
復調部１２３は、無線受信部１２２から入力された信号のうち受信信号を復調する。誤り訂正復号部１２４は、復調部１２３によって復調された受信信号に対して誤り訂正復号処理を施す。誤り訂正復号部１２４によって誤り訂正復号処理を施された受信信号は符号化部１２６に出力される。
【００３２】
中継指示抽出部１２５は、無線受信部１２２から入力された信号のうち中継指示信号を抽出する。そして、抽出した中継指示信号を無線送信部１２８に出力する。また、中継指示抽出部１２５は、中継指示信号に示された指示内容を参照することにより、受信信号に対して行われる誤り訂正符号化処理に用いる誤り訂正符号を特定し、特定された誤り訂正符号を符号化部１２６に通知する。
【００３３】
符号化部１２６は、誤り訂正復号部１２４から入力された受信信号に対して、中継指示抽出部１２５から入力された誤り訂正符号を用いて誤り訂正符号化処理を行う。符号化部１２６によって符号化された受信信号は中継信号として変調部１２７に出力される。変調部１２７は、符号化部１２６から入力された中継信号を変調する。変調部１２７によって
変調された中継信号は無線送信部１２８に出力される。
【００３４】
無線送信部１２８は、中継指示抽出部１２５から入力された中継指示信号に対して所定の送信無線処理（例えば、Ｄ／Ａ変換、アップコンバートなど）を施す。そして、送信無線処理後の中継指示信号をアンテナ１２１から基地局３０に送信する。また、無線送信部１２８は、変調部１２７から入力された中継信号に対して所定の送信無線処理を施す。そして、送信無線処理後の中継信号をアンテナ１２１から基地局３０に送信する。
【００３５】
上記構成を有する中継局２０は、図５に一例として示されたフローに従って動作する。
【００３６】
まず、中継指示抽出部１２５において、無線受信部１２２の出力信号のうち中継指示信号が抽出される（Ｓ１１１）。このとき、中継指示信号に示された指示内容が参照され、誤り訂正符号化処理において使用すべき誤り訂正符号が特定される。
【００３７】
そして、抽出された中継指示信号は基地局３０に中継される（Ｓ１１２）。つまり、抽出された中継指示信号は、無線送信部１２８に送られ、無線送信部１２８からアンテナ１２１を介して基地局３０に送信される。
【００３８】
そして、移動局１０から送信された送信信号が、無線受信部１２２において、受信される（Ｓ１１３）。この信号は、受信信号として、復調部１２３において復調され、誤り訂正復号部１２４において復号され、符号化部１２６に出力される（Ｓ１１４）。
【００３９】
そして、符号化部１２６において、受信信号が符号化される（Ｓ１１５）。この符号化には、ステップＳ１１１で特定された誤り訂正符号が使用される。符号化された受信信号は中継信号として変調部１２７に出力される。中継信号は、変調された後、無線送信部１２８に出力され、無線送信部１２８から基地局３０に対して送信される（Ｓ１１６）。
【００４０】
基地局３０は、図６に示すように、アンテナ１３１、無線受信部１３２、復調部１３３、誤り訂正復号部１３４、中継指示抽出部１３５、符号化部１３６、変調部１３７および無線送信部１３８を有する。
【００４１】
符号化部１３６は、移動局１０宛ての送信信号を符号化する。この送信信号には、例えば、各中継局２０−１、２０−２から受信した信号の受信品質を示す情報（受信品質情報）などが含まれる。なお、各中継局２０−１、２０−２から受信した信号の受信品質は、図示されない受信品質測定部によって測定される。
【００４２】
符号化部１３６によって符号化された送信信号は変調部１３７によって変調される。無線送信部１３８は、変調部１３７によって変調された送信信号に対して所定の送信無線処理（例えば、Ｄ／Ａ変換、アップコンバートなど）を施す。送信無線処理後の送信信号は下り回線信号としてアンテナ１３１を介して移動局１０に送信される。
【００４３】
無線受信部１３２は、各中継局２０−１、２０−２から送信された中継信号または中継指示信号を、アンテナ１３１を介して受信する。そして、受信した中継信号または中継指示信号に対して所定の受信無線処理（例えば、ダウンコンバート、Ａ／Ｄ変換など）を施す。受信無線処理後の中継信号または中継指示信号は復調部１３３および中継指示抽出部１３５に出力される。
【００４４】
復調部１３３は、無線受信部１３２から入力された信号のうち中継信号、より具体的には、中継局２０−１から受信した中継信号および中継局２０−２から受信した中継信号を、それぞれ復調する。復調された各中継信号は誤り訂正復号部１３４に出力される。
【００４５】
中継指示抽出部１３５は、無線受信部１３２から入力された信号のうち中継指示信号を抽出する。そして、抽出した中継指示信号に示された指示内容を参照することにより、中継信号の合成信号に対して行われる誤り訂正復号処理に用いる誤り訂正符号を特定し、特定された誤り訂正符号を誤り訂正復号部１３４に通知する。
【００４６】
誤り訂正復号部１３４は、復調部１３３から入力された、中継局２０−１から受信した中継信号および中継局２０−２から受信した中継信号を互いに合成して、中継信号の合成信号を得る。そして、合成信号を、中継指示抽出部１３５から通知された誤り訂正符号を用いて復号して、受信信号を得る。
【００４７】
上記構成を有する基地局３０は、図７に一例として示されたフローに従って動作する。
【００４８】
まず、中継指示抽出部１３５において、無線受信部１３２の出力信号のうち中継指示信号が抽出される（Ｓ１２１）。このとき、中継指示信号に示された指示内容が参照され、誤り訂正復号処理において使用すべき誤り訂正符号が特定される。
【００４９】
そして、各中継局２０−１、２０−２から送信された中継信号が、無線受信部１３２において、受信される（Ｓ１２２）。これらの中継信号は、復調部１３３において復調される（Ｓ１２３）。そして、これらの中継信号は、誤り訂正復号部１３４において合成される。これによって中継信号の合成信号が得られる。
【００５０】
そして、誤り訂正復号部１３４において、中継信号の合成信号が復号される（Ｓ１２４）。この復号においては、ステップＳ１２１で特定された誤り訂正符号が使用される。
【００５１】
次いで、移動体通信システム１の全体における動作の一例について説明する。
【００５２】
ここでは、移動局１０、中継局２０−１、２０−２および基地局３０において共通のテーブルが使用される場合を例にとって説明する。共通のテーブルの一例は図８に示されている。図示されたテーブルＴは、移動局１０の中継指示部１１５、中継局２０−１、２０−２の中継指示抽出部１２５および基地局３０の中継指示抽出部１３５にそれぞれ保持されている。
【００５３】
テーブルＴには誤り訂正符号の組み合わせの複数のパターンがリストされている。パターン＃１は、中継局数が１つの場合に使用されるパターンであり、パターン＃２、＃３は、中継局数が２つの場合に使用されるパターンであり、パターン＃４〜＃６は、中継局数が３つの場合に使用されるパターンであり、パターン＃７〜＃１０は、中継局数が４つの場合に使用されるパターンである。前述したように、本実施の形態では２つの中継局２０−１、２０−２が存在しているので、ここで説明する移動体通信システム１の動作例では、パターン＃２、＃３が使用されることとなる。
【００５４】
パターン＃２は、初回送信時には誤り訂正符号ａを、１回目の再送（再送１）時には誤り訂正符号ｂを、２回目の再送（再送２）時には誤り訂正符号ｃを、３回目の再送（再送３）時には誤り訂正符号ｄを、それぞれ使用することを指定している。
【００５５】
パターン＃３は、初回送信時には誤り訂正符号ｅを、１回目の再送（再送１）時には誤り訂正符号ｆを、２回目の再送（再送２）時には誤り訂正符号ｇを、３回目の再送（再送３）時には誤り訂正符号ｈを、それぞれ使用することを指定している。
【００５６】
移動体通信システム１の動作シーケンスの一例が、図９に示されている。まず、移動局
１０の中継指示部１１５は、中継指示信号の指示内容を決定する。指示内容の決定に際しては、テーブルＴが参照され、各中継局２０−１、２０−２に対する指示内容が決定される。例えば、中継局２０−１に対する指示内容は、パターン＃２の使用であり、中継局２０−２に対する指示内容は、パターン＃３の使用である。そして、移動局１０はこれらの指示内容が示された中継指示信号を生成する。生成された中継指示信号は、フレーム１において各中継局２０−１、２０−２に送信される。
【００５７】
そして、中継局２０−１および中継局２０−２はそれぞれ、移動局１０から中継指示信号を受信し、受信した中継指示信号を、フレーム２において基地局３０に送信する。
【００５８】
また、中継局２０−１の中継指示抽出部１２５は、受信した中継指示信号の指示内容およびテーブルＴを参照し、送信信号の符号化に使用する誤り訂正符号を特定する。移動局１０による今回の送信が初回送信であると仮定した場合、特定される誤り訂正符号は誤り訂正符号ａとなる。
【００５９】
また、中継局２０−２の中継指示抽出部１２５は、受信した中継指示信号の指示内容およびテーブルＴを参照し、送信信号の符号化に使用する誤り訂正符号を特定する。移動局１０による今回の送信が初回送信であると仮定した場合、特定される誤り訂正符号は誤り訂正符号ｅとなる。
【００６０】
基地局３０は、中継局２０−１、２０−２からそれぞれ送信した中継指示信号を受信する。基地局３０の中継指示抽出部１３５は、受信した中継指示信号の指示内容およびテーブルＴを参照し、中継信号の復号に使用する誤り訂正符号を特定する。移動局１０による今回の送信が初回送信であると仮定した場合、特定される誤り誤り訂正符号は誤り訂正符号ａおよび誤り訂正符号ｅである。
【００６１】
そして、移動局１０は、送信信号（Ｓ＋Ｐ１）をフレーム３において送信する。なお、Ｓは送信信号の情報ビットであり、Ｐ１は情報ビットＳに付加されたパリティビットである。パリティビットＰ１は、符号化部１１６での誤り訂正符号化処理によって情報ビットＳに付加される。
【００６２】
そして、中継局２０−１、２０−２はそれぞれ、移動局１０から送信信号（Ｓ＋Ｐ１）を受信する。
【００６３】
中継局２０−１の符号化部１２６は、先ほど特定された誤り訂正符号ａを用いて、送信信号の情報ビットＳを符号化する。この結果、中継信号（Ｓ＋Ｐ２）が生成される。なお、Ｐ２は、Ｐ１と異なるパリティビットである。
【００６４】
また、中継局２０−２の符号化部１２６は、先ほど特定された誤り訂正符号ｅを用いて、送信信号の情報ビットＳを符号化する。この結果、中継信号（Ｓ＋Ｐ１）が生成される。なお、情報ビットＳは、各中継局２０−１、２０−２の誤り訂正復号部１２４での誤り訂正復号処理によって得ることができる。
【００６５】
これは、中継局２０−１および中継局２０−２でそれぞれ生成された中継信号に互いに異なるパリティビットを付加するという指示が、移動局１０の中継指示部１１５によって決定され、移動局１０から各中継局２０−１、２０−２に通知されたことを意味している。
【００６６】
中継局２０−１は、生成した中継信号（Ｓ＋Ｐ２）をフレーム４において基地局３０に送信する。中継局２０−２は、生成した中継信号（Ｓ＋Ｐ１）をフレーム４において基地
局３０に送信する。
【００６７】
そして、基地局３０は、中継信号（Ｓ＋Ｐ１）および中継信号（Ｓ＋Ｐ２）をそれぞれ受信する。基地局３０の誤り訂正復号部１３４は、中継信号（Ｓ＋Ｐ１）および中継信号（Ｓ＋Ｐ２）を合成して、中継信号の合成信号（Ｓ＋Ｐ１＋Ｐ２）を生成する。そして、先ほど特定された誤り訂正符号ａおよび誤り訂正符号ｅを用いて、中継信号の合成信号（Ｓ＋Ｐ１＋Ｐ２）を復号する。
【００６８】
このように複数の中継局から送信される中継信号にそれぞれ異なるパリティビットを付加することにより、誤り訂正符号によるゲインが向上する。具体的には、図１０の（ａ）に示す信号（Ｓ＋Ｐ１）と図１０の（ｂ）に示す信号（Ｓ'＋Ｐ２）とを合成した場合は、図１０の（ｃ）に示す信号（Ｓ''＋Ｐ１＋Ｐ２）が生成される（なお、Ｓ、Ｓ'、Ｓ''は、互いに電力が相違するが同一の系列から成る情報ビットである）。信号（Ｓ''＋Ｐ１＋Ｐ２）においては、ＳおよびＳ'の合成によって電力が増幅されたＳ''が得られるだけでなく、パリティビット数も増加している。
【００６９】
これに対して、図１０の（ｄ）に示す信号（Ｓ＋Ｐ１）と図１０の（ｅ）に示す信号（Ｓ'＋Ｐ１'）とを合成した場合は、図１０の（ｆ）に示す信号（Ｓ''＋Ｐ１''）が生成される（なお、Ｐ１、Ｐ１'、Ｐ１''は互いに電力が相違するが同一のパリティビットである）。信号（Ｓ'＋Ｐ１'）においては、ＳおよびＳ'の合成によって電力が増幅されたＳ''が得られ、さらに、Ｐ１およびＰ１'の合成によって電力が増幅されたＰ１''が得られる。ただし、パリティビット数は増加していない。
【００７０】
このように、本実施の形態によれば、中継局２０−１、２０−２を経由して情報伝送を行うことによって基地局３０のカバーエリアの縮小を抑制することができる。さらに、本実施の形態によれば、パリティビットＰ２を送信信号に付加する指示を中継局２０−１に通知し、パリティビットＰ１を送信信号に付加する指示を中継局２０−２に通知するため、受信側（つまり基地局３０）で行われる受信信号の合成によって、電力増幅効果だけでなく誤り訂正能力の向上も実現することができ、合成後の誤り率特性を向上することができる。
【００７１】
なお、移動局１０の中継指示部１１５で決定される指示の内容は、前述のものだけに限定されない。
【００７２】
例えば、特定の長さを有するパリティビットＰＡを送信信号に付加する指示を決定してこれを中継局２０−１に通知し、パリティビットＰＡの長さと異なる長さを持つパリティビットＰＢを送信信号に付加する指示を決定してこれを中継局２０−２に通知してもよい。また、基地局３０が中継局２０−１から受信した信号の受信品質が、基地局３０が中継局２０−２から受信した信号の受信品質よりも良好である場合、中継指示部１１５は、パリティビットＰＡの長さをパリティビットＰＢの長さよりも短く設定してもよい。
【００７３】
あるいは、情報ビットおよびパリティビットから成り情報ビットの数の割合が特定値である中継信号ＲＳ１を生成する指示を決定してこれを中継局２０−１に通知し、情報ビットおよびパリティビットから成り情報ビットの数の割合が中継信号ＲＳ１と異なる中継信号ＲＳ２を生成する指示を決定してこれを中継局２０−２に通知してもよい。また、基地局３０が中継局２０−１から受信した信号の受信品質が、基地局３０が中継局２０−２から受信した信号の受信品質よりも良好である場合、中継指示部１１５は、中継信号ＲＳ１における情報ビット数の割合を中継信号ＲＳ２における情報ビット数の割合よりも高く設定してもよい。
【００７４】
あるいは、情報ビットおよびパリティビットのうち一方から成る中継信号ＲＳ１を生成する指示を決定してこれを中継局２０−１に通知し、情報ビットおよびパリティビットのうち他方から成る中継信号ＲＳ２を生成する指示を決定してこれを中継局２０−２に通知してもよい。また、基地局３０が中継局２０−１から受信した信号の受信品質が、基地局３０が中継局２０−２から受信した信号の受信品質よりも良好である場合、中継指示部１１５は、情報ビットのみから成る中継信号ＲＳ１を生成する指示を中継局２０−１に通知し、パリティビットのみから成る中継信号ＲＳ２を生成する指示を中継局２０−２に通知してもよい。
【００７５】
前述のどの代替案を採用した場合においても情報ビットを受信品質の高い中継局に中継させることができる。
【００７６】
また、本実施の形態では、中継指示信号が移動局１０において生成され送信されているが、基地局３０、中継局２０または上位の制御局が中継指示信号を生成し送信してもよい。
【００７７】
また、本実施の形態では、無線送信装置を移動局１０に設けることにより前述の作用効果を上り回線での情報伝送において実現しているが、無線送信装置を基地局３０に設けることにより前述の作用効果を下り回線での情報伝送においても実現することができる。また、本実施の形態に係る無線送信装置は中継局２０にも適用可能である。
【００７８】
（実施の形態２）
図１１は、本発明の実施の形態２に係る移動体通信システムの構成を示す図である。図１１の移動体通信システム１ａは、実施の形態１で説明した移動局１０および基地局３０のほかに、中継局２０ａ−１、２０ａ−２を有する。
【００７９】
なお、中継局２０ａ−１、２０ａ−２は互いに同一の内部構成を有するため、以下の説明において、中継局２０ａ−１、２０ａ−２のうち任意のものについて言及するときは、「中継局２０ａ」と言う。また、中継局２０ａは、実施の形態１で説明した中継局２０と同様の内部構成を有する。よって、実施の形態１で説明したものと同一の構成要素については同一の参照符号を付し、その詳細な説明を省略する。
【００８０】
また、本実施の形態では、便宜上、中継局数を「２」としているが、中継局数は１つでも３つ以上でもよい。通信状況によっては送信信号が経由する中継局の数が１つとなる場合もあり得るが、本発明を実施するためには、送信信号が経由する中継局の数は２以上であることが好ましい。
【００８１】
本実施の形態の移動局１０の構成は実施の形態１で説明したものと同様であるためブロック図およびその詳細な説明を省略するが、本実施の形態の移動局１０では、中継指示部１１５で決定される指示に下記の指示内容が追加される。追加される指示内容は、送信信号において付加されているパリティビットと異なるパリティビットが付加された中継信号を生成すること、である。
【００８２】
中継局２０ａは、図１２に示すように、実施の形態１で説明したアンテナ１２１、中継指示抽出部１２５、符号化部１２６、変調部１２７および無線送信部１２８のほかに、無線受信部２２２、復調部２２３、誤り訂正復号部２２４、合成部２２５、バッファ部２２６および誤り検出部２２７を有する。
【００８３】
無線受信部２２２は、移動局１０から送信された送信信号または中継指示信号を、アンテナ１２１を介して受信する。そして、受信した送信信号（受信信号）または中継指示信
号に対して所定の受信無線処理（例えば、ダウンコンバート、Ａ／Ｄ変換など）を施す。受信無線処理後の受信信号または中継指示信号は復調部２２３および中継指示抽出部１２５に出力される。
【００８４】
また、無線受信部２２２は、他の中継局２０ａから送信された中継信号を、アンテナ１２１を介して受信する。そして、受信した中継信号に対して所定の受信無線処理を施す。受信無線処理後の中継信号は復調部２２３に出力される。
【００８５】
復調部２２３は、無線受信部２２２から入力された信号のうち受信信号を復調する。また、復調部２２３は、誤り検出部２２７からの指示に従い、他の中継局２０ａから送信された中継信号が無線受信部２２２で受信できた場合はその中継信号を復調する。
【００８６】
合成部２２５は、復調部２２３によって復調された受信信号をバッファ部２２６に保存するとともに、誤り訂正復号部２２４に出力する。また、合成部２２５は、復調部２２３によって復調された中継信号をバッファ部２２６に保存されている信号（バッファの信号）と合成する。そして、合成前の信号に代わって合成後の信号をバッファ部２２６に保存するとともに、合成後の信号を誤り訂正復号部２２４に出力する。
【００８７】
バッファ部２２６は、合成部２２５によって得られた信号を保存する。また、保存された信号は、誤り検出部２２７の誤り検出において誤りが検出されなかったときに消去される。
【００８８】
誤り訂正復号部２２４は、合成部２２５から入力された信号に対して誤り訂正復号処理を施す。誤り訂正復号部２２４によって誤り訂正復号処理を施された信号は誤り検出部２２７に出力される。
【００８９】
誤り検出部２２７は、誤り訂正復号部２２４によって誤り訂正復号を施された信号に対して誤り検出を行う。本実施の形態では、誤り検出部２２７は、ＣＲＣ（Cyclic Redundancy Check）を用いて誤り検出を行う。ただし、使用可能とする誤り検出方法はＣＲＣのみに限定されず、垂直パリティチェック、水平パリティチェック、ハミングコードなどを代わりに用いてもよい。
【００９０】
誤り検出の結果、誤りが検出された場合（ＣＲＣ：ＮＧ）、誤り検出部２２７は、他の中継局２０ａから送信された中継信号が受信できた場合はその中継信号を復調するよう復調部２２３に指示する。誤り検出の結果、誤りが検出されなかった場合（ＣＲＣ：ＯＫ）、誤り検出部２２７は、誤り訂正復号を施された信号を符号化部１２６に出力するとともに、バッファ部２２６に保存されている信号を破棄する。
【００９１】
上記構成を有する中継局２０ａは、図１３に一例として示されたフローに従って動作する。
【００９２】
まず、中継指示抽出部１２５において、無線受信部２２２の出力信号のうち中継指示信号が抽出される（Ｓ２０１）。このとき、中継指示信号に示された指示内容が参照され、誤り訂正符号化処理において使用すべき誤り訂正符号が特定される。
【００９３】
そして、抽出された中継指示信号は基地局３０に中継される（Ｓ２０２）。つまり、抽出された中継指示信号は、無線送信部１２８に送られ、無線送信部１２８からアンテナ１２１を介して基地局３０に送信される。
【００９４】
そして、移動局１０から送信された送信信号が、無線受信部２２２において、受信され
る（Ｓ２０３）。この信号は、受信信号として、復調部２２３において復調される（Ｓ２０４）。復調された受信信号は、バッファ部２２６に保存される（Ｓ２０５）とともに、誤り訂正復号部２２４において復号される（Ｓ２０６）。
【００９５】
復調された受信信号は、誤り検出部２２７において誤り検出処理を施される。誤りが検出された場合（Ｓ２０７：ＮＯ）、誤り検出部２２７から復調部２２３に指示が出される。この指示に従い、復調部２２３は、他の中継局２０ａから送信された中継信号が受信できた場合（Ｓ２０８：ＹＥＳ）に、その中継信号を復調する（Ｓ２０９）。一方、他の中継局２０ａから送信された中継信号が受信できなかった場合（Ｓ２０８：ＮＯ）は、中継処理を終了する。
【００９６】
ステップＳ２０９の復調処理に引き続いて、合成部２２５は、バッファ部２２６に保存されている信号とステップＳ２０９で復調された中継信号とを合成する（Ｓ２１０）。合成後の信号は、誤り訂正復号部２２４において復号される。
【００９７】
復号された合成後の信号は、誤り検出部２２７において誤り検出処理を施される。誤りが検出されなかった場合（Ｓ２１１：ＹＥＳ）、後述のステップＳ２１３に進む。誤りが検出された場合（Ｓ２１１：ＮＯ）、中継処理を終了する。
【００９８】
また、ステップＳ２０７の誤り検出において、誤りが検出されなかった場合（Ｓ２０７：ＹＥＳ）、バッファ部２２６に保存されている信号は破棄される（Ｓ２１２）。
【００９９】
そして、ステップＳ２１３において、誤り検出部２２７から入力された信号が符号化部１２６によって符号化される。この符号化には、ステップＳ２０１で特定された誤り訂正符号が使用される。符号化された信号は中継信号として変調部１２７に出力される。中継信号は、変調された後、無線送信部１２８に出力され、無線送信部１２８から基地局３０に対して送信される（Ｓ２１４）。
【０１００】
次いで、移動体通信システム１ａの全体における動作の一例について説明する。
【０１０１】
ここでは、中継局２０ａ−１が受信した送信信号の誤り検出結果がＯＫであり且つ中継局２０ａ−２が受信した送信信号の誤り検出結果がＮＧであった場合を例にとって説明する。
【０１０２】
移動体通信システム１ａの動作シーケンスの一例が、図１４に示されている。まず、フレーム１において、移動局１０から中継局２０ａ−１、２０ａ−２に中継指示信号が送信される。そして、フレーム２において、中継局２０ａ−１、２０ａ−２から基地局３０に中継指示信号が送信される。フレーム１、２における動作の詳細は、指示の内容を除いて、実施の形態１での説明と同様である。
【０１０３】
フレーム３では、送信信号（Ｓ＋Ｐ１）が移動局１０から中継局２０ａ−１、２０ａ−２に送信される。
【０１０４】
そして、中継局２０ａ−１、２０ａ−２はそれぞれ、移動局１０から送信信号（Ｓ＋Ｐ１）を受信する。
【０１０５】
中継局２０ａ−１、２０ａ−２の各々の誤り検出部２２７は、復号後の受信信号（つまり、誤り訂正復号処理を施された送信信号（Ｓ＋Ｐ１））に対して誤り検出を行う。この例示の場合、中継局２０ａ−１では誤りが検出されず（ＣＲＣ：ＯＫ）、中継局２０ａ−２では誤りが検出される（ＣＲＣ：ＮＧ）。
【０１０６】
したがって、中継局２０ａ−１で受信された送信信号の情報ビットＳは符号化され、そして、フレーム４において中継信号（Ｓ＋Ｐ２）として送信される。一方、中継局２０ａ−２で受信された送信信号の情報ビットＳは符号化されず、フレーム４において送信されない。
【０１０７】
フレーム４において、中継局２０ａ−２は、中継局２０ａ−１から送信された中継信号（Ｓ＋Ｐ２）を受信する。そして、受信した中継信号（Ｓ＋Ｐ２）とフレーム３において受信された送信信号（Ｓ＋Ｐ１）を合成する。中継局２０ａ−２の誤り検出部２２７は、誤り訂正復号処理を施された合成後の信号に対して誤り検出を行う。この例示の場合、合成後の信号において誤りは検出されない（ＣＲＣ：ＯＫ）。
【０１０８】
したがって、合成後の信号の情報ビットＳは符号化され、そして、フレーム５において中継信号（Ｓ＋Ｐ３）として送信される。なお、Ｐ３は、Ｐ１、Ｐ２と異なるパリティビットである。
【０１０９】
基地局３０は、フレーム４において中継局２０ａ−１から受信した中継信号（Ｓ＋Ｐ２）を正しく受信できなかった（ＣＲＣ：ＮＧ）としても、中継信号（Ｓ＋Ｐ２）とフレーム５において中継局２０ａ−２から受信した中継信号（Ｓ＋Ｐ３）を合成することによって、受信信号における誤りを解消することができる。
【０１１０】
このように、本実施の形態によれば、移動局１０から送信される送信信号内のパリティビットＰ１と異なるパリティビットＰ２、Ｐ３が付加された中継信号を生成する指示が決定され、各中継局２０ａ−１、２０ａ−２に通知されるため、送信信号内のパリティビットＰ１と異なるパリティビットＰ２、Ｐ３が付加された中継信号が各中継局２０ａ−１、２０ａ−２によって生成される。このため、中継局２０ａ−１、２０ａ−２のうち一方が移動局１０の送信信号を正しく受信できなかった場合に、他方の中継局が送信した中継信号を受信することができる。よって、送信信号と中継信号を合成することができるようになるので、中継局２０ａ−１、２０ａ−２において誤り訂正効果を実現することができ、ひいては、システム全体の誤り訂正効果を向上させることができる。
【０１１１】
また、本実施の形態では、中継指示信号が移動局１０において生成され送信されているが、中継局２０ａが中継指示信号を生成し送信してもよい。また、本実施の形態に係る無線送信装置は中継局２０ａにも適用可能である。
【０１１２】
（実施の形態３）
図１５は、本発明の実施の形態３に係る移動体通信システムの構成を示す図である。図１５の移動体通信システム１ｂは、実施の形態１で説明した移動局１０および基地局３０のほかに、中継局２０ｂ−１、２０ｂ−２、２０ｂ−３を有する。
【０１１３】
なお、中継局２０ｂ−１、２０ｂ−２、２０ｂ−３は互いに同一の内部構成を有するため、以下の説明において、中継局２０ｂ−１、２０ｂ−２、２０ｂ−３のうち任意のものについて言及するときは、「中継局２０ｂ」と言う。また、中継局２０ｂは、実施の形態１で説明した中継局２０と同様の内部構成を有する。よって、実施の形態１で説明したものと同一の構成要素については同一の参照符号を付し、その詳細な説明を省略する。
【０１１４】
また、本実施の形態では、便宜上、中継局数を「３」としているが、中継局数は１つでも２つでも４つ以上でもよい。通信状況によっては送信信号が経由する中継局の数が１つとなる場合もあり得るが、本発明を実施するためには、送信信号が経由する中継局の数は２以上であることが好ましい。
【０１１５】
また、本実施の形態では、実施の形態１で説明した移動局１０が用いられているが、従来の移動局が代用されてもよい。
【０１１６】
中継局２０ｂは、図１６に示すように、実施の形態１で説明したアンテナ１２１、無線受信部１２２、復調部１２３、誤り訂正復号部１２４、符号化部１２６、変調部１２７および無線送信部１２８のほかに、誤り訂正符号選択部３２１およびチャネル指定部３２２を有する。
【０１１７】
誤り訂正符号選択部３２１は、予め用意されている複数の誤り訂正符号の中から任意の一つをランダムに選択する。選択された誤り訂正符号は符号化部１２６およびチャネル指定部３２２に通知される。なお、誤り訂正符号選択部３２１は、例えば実施の形態１で説明したテーブルＴを有してもよい。この場合、誤り訂正符号選択部３２１は、テーブルＴにリストされたパターンに従って誤り訂正符号を選択することができる。
【０１１８】
チャネル指定部３２２は、誤り訂正符号選択部３２１から通知された誤り訂正符号に対応するチャネルを、複数のチャネルの中から指定する。そして、指定されたチャネルの使用を、無線送信部１２８に対して指示する。したがって、本実施の形態では、無線送信部１２８は、チャネル指定部３２２から指示されたチャネルを用いて中継信号を送信する。この場合、基地局３０の中継指示抽出部１３５は、誤り訂正復号処理に用いる誤り訂正符号を、中継信号の送信に用いられたチャネルに基づいて特定する。
【０１１９】
上記構成を有する中継局２０ｂは、図１７に一例として示されたフローに従って動作する。まず、移動局１０から送信された送信信号が、無線受信部１２２において、受信される（Ｓ３０１）。この信号は、受信信号として、復調部１２３において復調され、誤り訂正復号部１２４において復号され、符号化部１２６に出力される（Ｓ３０２）。
【０１２０】
そして、誤り訂正符号選択部３２１において、予め用意されている複数の誤り訂正符号、例えば誤り訂正符号ａ〜ｈの中のいずれかがランダムに選択される（Ｓ３０３）。
【０１２１】
符号化部１２６は、受信信号を、ステップＳ３０３で選択された誤り訂正符号を用いて符号化する（Ｓ３０４）。符号化された受信信号は、中継信号として変調部１２７に出力される。中継信号は、変調部１２７によって変調された後、無線送信部１２８に出力される。
【０１２２】
また、チャネル指定部３２２は、ステップＳ３０３で選択された誤り訂正符号に基づいて送信チャネルの指定を行う（Ｓ３０５）。具体的には、チャネル指定部３２２は、例えば図１８に示された、誤り訂正符号とチャネルとの対応関係を表すテーブルを用いる。例えば、誤り訂正符号ａが選択された場合は、チャネル１〜８の中からチャネル１が、送信に使用するチャネルとして指定される。なお、各チャネル１〜８は、例えば、ＯＦＤＭ（Orthogonal Frequency Division Multiplexing）方式のサブキャリア、ＦＤＭＡ（Frequency Division Multiple Access）方式の周波数帯域、ＣＤＭＡ（Code Division Multiple
Access）方式の拡散符号、または、ＴＤＭＡ（Time Division Multiple Access）方式の時間帯域である。もしくはこれらを組み合わせたものを各チャネル１〜８としてもよい。また、このテーブルは、基地局３０の中継指示抽出部１３５にも設けられている。
【０１２３】
そして、無線送信部１２８は、変調された中継信号を、ステップＳ３０５で指定されたチャネルを用いて送信する（Ｓ３０６）。
【０１２４】
次いで、移動体通信システム１ｂの全体における動作の一例について説明する。移動体
通信システム１の動作シーケンスの一例は、図１９に示されている。
【０１２５】
まず、フレーム１において、移動局１０から各中継局２０ｂ−１、２０ｂ−２、２０ｂ−３に送信信号（Ｓ＋Ｐ１）が送信される。
【０１２６】
中継局２０ｂ−１、２０ｂ−２、２０ｂ−３はそれぞれ、ランダムに誤り訂正符号を選択し、選択された誤り訂正符号で送信信号（Ｓ＋Ｐ１）を符号化する。例えば、中継局２０ｂ−１の誤り訂正符号選択部３２１は、誤り訂正符号ｂを選択して、中継局２０ｂ−１の符号化部１２６は、誤り訂正符号ｂに従って、情報ビットＳにパリティビットＰ２を付加する。また、中継局２０ｂ−２の誤り訂正符号選択部３２１は、誤り訂正符号ａを選択して、中継局２０ｂ−２の符号化部１２６は、誤り訂正符号ａに従って、情報ビットＳにパリティビットＰ１を付加する。また、中継局２０ｂ−３の誤り訂正符号選択部３２１は、誤り訂正符号ａを選択して、中継局２０ｂ−３の符号化部１２６は、誤り訂正符号ａに従って、情報ビットＳにパリティビットＰ１を付加する。
【０１２７】
そして、フレーム２において、中継局２０ｂ−１は、誤り訂正符号ｂに対応するチャネル２を用いて中継信号（Ｓ＋Ｐ２）を送信し、中継局２０ｂ−２、２０ｂ−３は、誤り訂正符号ａに対応するチャネル１を用いて中継信号（Ｓ＋Ｐ１）を送信する。基地局３０は、各中継局２０ｂ−１、２０ｂ−２、２０ｂ−３から受信した中継信号を合成してから復号する。
【０１２８】
このように、本実施の形態によれば、中継局２０ｂ−１、２０ｂ−２、２０ｂ−３で選択された誤り訂正符号に対応したチャネルを用いて中継信号が送信されるため、実施の形態１、２で説明した中継指示信号を用いることなく、実施の形態１、２と同様の効果を実現することができる。
【０１２９】
なお、選択された誤り訂正符号が中継局２０ｂ−１、２０ｂ−２、２０ｂ−３から基地局３０にシグナリングされるような構成を採ってもよい。この場合も、移動局１０は、送信信号を送信する前に中継指示信号を送信しなくともよい。
【０１３０】
また、本実施の形態に係る無線送信装置は中継局２０ｂにも適用可能である。
【０１３１】
また、本実施の形態に係る中継局２０ｂの誤り訂正符号選択部３２１は、移動局１０が送信する中継指示信号の指示内容に依存せずに誤り訂正符号を選択するが、中継局２０ｂの無線受信部１２２で受信された中継指示信号を誤り訂正符号選択部３２１に入力するようにし、誤り訂正符号選択部３２１では中継指示信号の指示内容に従って誤り訂正符号を選択するようにしてもよい。
【０１３２】
この場合、移動局１０の中継指示部１１５で決定される指示の内容は、例えば、誤り訂正符号の選択方法である。選択方法のオプションの１つは、例えば、本実施の形態で説明したランダム選択である。また、他のオプションとしては、例えば、実施の形態１で説明した、テーブルＴを用いたパターン選択である。また、予め複数のランダム選択方法を用意しておき、移動局１０がいずれかのランダム選択方法を指定するようにしてもよい。また、複数パターンがリストされたテーブルを複数用意しておき、移動局１０がいずれかのテーブルの使用を指定するようにしてもよい。また、移動局１０は、中継局２０ｂで選択される誤り訂正符号を制御する必要性が生じている状況下では、ランダム選択が許可されない旨を中継局２０ｂに通知する一方で、中継局２０ｂで選択される誤り訂正符号を制御する必要性が生じていない状況下では、ランダム選択が許可される旨を中継局２０ｂに通知してもよい。
【０１３３】
また、上記各実施の形態の説明に用いた各機能ブロックは、典型的には集積回路であるＬＳＩとして実現される。これらは個別に１チップ化されてもよいし、一部又は全てを含むように１チップ化されてもよい。
【０１３４】
ここでは、ＬＳＩとしたが、集積度の違いにより、ＩＣ、システムＬＳＩ、スーパーＬＳＩ、ウルトラＬＳＩと呼称されることもある。
【０１３５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３６】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１３７】
本明細書は、２００５年１月３１日出願の特願２００５−０２２８９８に基づくものである。この内容は全てここに含めておく。
【産業上の利用可能性】
【０１３８】
本発明の無線送信装置および無線送信方法は、セルラ移動体通信システムなどの無線通信システムにおいて用いられる基地局装置や移動局装置、中継局装置などに適用することができる。
【図面の簡単な説明】
【０１３９】
【図１】本発明の実施の形態１に係る移動体通信システムの構成を示す図
【図２】本発明の実施の形態１に係る移動局装置の構成を示すブロック図
【図３】本発明の実施の形態１に係る移動局装置の動作を説明するためのフロー図
【図４】本発明の実施の形態１に係る中継局装置の構成を示すブロック図
【図５】本発明の実施の形態１に係る中継局装置の動作を説明するためのフロー図
【図６】本発明の実施の形態１に係る基地局装置の構成を示すブロック図
【図７】本発明の実施の形態１に係る基地局装置の動作を説明するためのフロー図
【図８】本発明の実施の形態１に係る誤り訂正符号パターンのテーブルを示す図
【図９】本発明の実施の形態１に係る移動体通信システムの動作シーケンス図
【図１０】本発明の実施の形態１に係る中継信号の合成を説明するための図
【図１１】本発明の実施の形態２に係る移動体通信システムの構成を示す図
【図１２】本発明の実施の形態２に係る中継局装置の構成を示すブロック図
【図１３】本発明の実施の形態２に係る中継局装置の動作を説明するためのフロー図
【図１４】本発明の実施の形態２に係る移動体通信システムの動作シーケンス図
【図１５】本発明の実施の形態３に係る移動体通信システムの構成を示す図
【図１６】本発明の実施の形態３に係る中継局装置の構成を示すブロック図
【図１７】本発明の実施の形態３に係る中継局装置の動作を説明するためのフロー図
【図１８】本発明の実施の形態３に係る誤り訂正符号とチャネルの対応関係を表すテーブルを示す図
【図１９】本発明の実施の形態３に係る移動体通信システムの動作シーケンス図
【図１】
0004688860.tif 000002
【図２】
0004688860.tif 000003
【図３】
0004688860.tif 000004
【図４】
0004688860.tif 000005
【図５】
0004688860.tif 000006
【図６】
0004688860.tif 000007
【図７】
0004688860.tif 000008
【図８】
0004688860.tif 000009
【図９】
0004688860.tif 000010
【図１０】
0004688860.tif 000011
【図１１】
0004688860.tif 000012
【図１２】
0004688860.tif 000013
【図１３】
0004688860.tif 000014
【図１４】
0004688860.tif 000015
【図１５】
0004688860.tif 000016
【図１６】
0004688860.tif 000017
【図１７】
0004688860.tif 000018
【図１８】
0004688860.tif 000019
【図１９】
0004688860.tif 000020